(57)【要約】【課題】工場内に設けられたハウジングに収容されている酸洗い槽、フラックス槽およびめっき槽などから発生する有害ガスをエアーカーテンを用いて大気中に拡散することを防止する装置を提供する。【構成】工場１の内部に設けられたハウジング２において、ハウジング２の内部で鋼材などを運搬するために設けられたハウジング天井３の細長い隙間７にエアーカーテン１５を形成すること、ハウジング天井３の隙間７を境に２つに分かれている天井の一方側は、吹出口１３を持つプッシュフード１２で構成され、吹出口１３は吹出口中央からハウジング内部の方向に角度を付けていること、前記吹出口１３からハウジング内部に送られたエアーカーテン気流は、ハウジング２に取付けられた排気ファン１０により排気ガス洗浄装置１１に送られることを特徴とする装置である。【選択図】    図２
2004325056.tif 000002
【特許請求の範囲】
【請求項１】
工場１の内部に設けられた酸洗い槽、フラックス槽およびめっき槽などを収納するハウジング２において、ハウジング２の内部で鋼材などを運搬するために、ハウジング天井３にホイストレール５に沿って細長い隙間７が設けられており、この細長い隙間７にエアーカーテン１５を形成すること、ハウジング天井３の隙間７を境に２つに分かれている天井の一方側は、吹出口１３を持つプッシュフード１２で構成され、吹出口１３は吹出口中央からハウジング内部の方向に角度を付けていることを特徴とするハウジングのエアーカーテン装置。
【請求項２】
「請求項１」において、吹出口１３からハウジング内部に送られたエアーカーテン気流は、ハウジング２に取付けられた排気ファン１０により排気ガス洗浄装置１１に送られることを特徴とするハウジングのエアーカーテン装置。
【発明の詳細な説明】
【０００１】
【発明の属する技術分野】
本発明は、ハウジング内部に設置された酸洗い槽、フラックス槽およびめっき槽などから発生する有害ガスをエアーカーテンを用いて大気中に拡散することを防止する装置に関するものである。
【０００２】
【従来の技術】
従来、酸洗い槽、フラックス槽およびめっき槽などの開放槽上において、プッシュプル型のエアーカーテン装置を用いて、開放槽上全体にエアーカーテンを形成し、有害ガスを大気中に拡散することを防止する方法がとられていた。（例えば、特許文献１参照。）
【０００３】
また、工場内に酸洗い槽、フラックス槽およびめっき槽などを収納するハウジングを設けている場合には、ハウジング内部で鋼材などを運搬するために、ハウジング天井にはホイストから吊り下げられたワイヤーを通すホイストレールに沿った細長い隙間が設けられており、この細長い隙間を塞ぐように弾性シートを取り付けることで、有害ガスがハウジング外部へ拡散することを防止する方法がとられていた。（例えば、特許文献２参照。）
【０００４】
【特許文献１】
特開平４−１６９７３０号公報
【特許文献２】
特開２００２−２４１０７７号公報
【０００５】
【発明が解決しようとする課題】
しかしながら、開放槽上にエアーカーテンを形成する方法では、有害ガスを遮断する距離が槽の幅となり、エアーカーテンを形成する距離が長くなるため、吹出し風速を早くする必要があった。また、温度が低いエアーカーテン気流の干渉によって槽に収容されている処理液の液面温度が変動し、製品の品質低下をもたらす問題があった。
【０００６】
また、工場の内部に酸洗い槽、フラックス槽およびめっき槽などを収納するハウジングを設けている場合には、ホイストの移動に合わせて、ホイストのワイヤーがハウジング天井の隙間を塞いでいる弾性シートを押し広げて通っており、長期間使用していると、腐食や劣化によりワイヤーが弾性シートに引っかかってしまう恐れがあった。
【０００７】
【課題を解決するための手段】
本発明は、従来の技術の有するこのような問題に鑑みてなされたものであり、工場１の内部に設けられた酸洗い槽、フラックス槽およびめっき槽などを収納するハウジング２において、ハウジング２の内部で鋼材などを運搬するために、ハウジング天井３にホイストレール５に沿って細長い隙間７が設けられており、この細長い隙間７にエアーカーテン１５を形成すること、ハウジング天井３の隙間７を境に２つに分かれている天井の一方側は、吹出口１３を持つプッシュフード１２で構成され、吹出口１３は吹出口中央からハウジング内部の方向に角度を付けていること、前記吹出口１３からハウジング内部に送られたエアーカーテン気流は、ハウジング２に取付けられた排気ファン１０により排気ガス洗浄装置１１に送られることを特徴とするハウジングのエアーカーテン装置を提供するものである。
【０００８】
【発明の実施の形態】
以下、発明の実施の形態を実施例に基づき図面を参照して説明する。
【０００９】
図１は、工場内に設置されたハウジングの状態図である。
工場内１に設けられているハウジング２の内部には酸洗い槽、フラックス槽およびめっき槽などが収納されている。ハウジング２は通常密閉されているが、点検などのために内部に入ることができる。
また、ハウジング２の内部で鋼材等を運搬するために、ハウジング天井３にはホイスト４から吊り下げられたワイヤー６を通すホイストレール５に沿った細長い隙間７が設けられている。
【００１０】
図２は、本発明に係るハウジングのエアーカーテン装置の正面図である。
ハウジング２の内部には、例えば鋼材の酸洗いを行なうための槽８が収納されており、槽８に収容した処理液９の液界面に臨んで上部が開放している。
【００１１】
ハウジング２の内部で鋼材などをホイストクレーンで運搬するために、ハウジング天井３には、ホイスト４から吊り下げられたワイヤー６を通すホイストレール５に沿った、例えば２５ｃｍ程度の細長い隙間７が設けられている。また、ハウジング内部の有害ガス１６を処理するためにハウジング２には排気ファン１０および排気ガス洗浄装置１１が設けられている。
【００１２】
ハウジング天井３の隙間７を境に２つに分かれているハウジング天井３の一方側は、吹出口１３を持つプッシュフード１２で構成され、プッシュフード１２には送風機１４が接続されている。なお、吹出口１３は吹出部中央からハウジング内部の方向に若干角度が付けられている。
【００１３】
本実施例では、上述した構成により、送風機１４から送り出されたエアーは、プッシュフード１２を通り、吹出口１３からハウジング内部へ送られる。これにより、ハウジング天井３に設けられている細長い隙間７にエアーカーテン１５が形成される。
ハウジング内部に送られたエアーカーテン気流は、ハウジング内の有害ガス１６とともに、排気ファン１０により排気ガス洗浄装置１１に送られる。
【００１４】
なお、吹出口１３から吹出される空気の吹出風速は、槽８に収容されている処理液９から発生する有毒ガス１６の上昇気流に打ち勝って乱されることのない最低値に保持している。
【００１５】
【発明の効果】
本発明は、以上に説明した手順で行なうことにより、以下に記載するような効果を奏する。
【００１６】
エアーカーテンを開放槽上でなく、酸洗い槽、フラックス槽およびめっき槽などを収納するハウジングの天井に設けられた隙間の短い距離でエアーカーテンを形成するため、吹出風速を早くする必要がなく、巻き込み風量も少ない。
【００１７】
酸洗い槽、フラックス槽およびめっき槽など収容している処理液面から離れた位置のハウジング天井でエアーカーテンを形成するため、温度が低いエアーカーテン気流の干渉によって処理液の液面温度に影響を及ぼさない。
【００１８】
ハウジング天井の隙間に、エアーカーテンを形成して有害ガスを遮断することで、ハウジング天井の隙間に弾性シートを取り付ける従来の方法で問題であった、長期間使用による腐食や劣化によりワイヤーが弾性ゴムに引っかかってしまうという心配がなくなり、ホイストクレーンの作業も従来通り行なうことができる。
【図面の簡単な説明】
【図１】工場内に設置されたハウジングの状態図である。
【図２】本発明に係るハウジングのエアーカーテン装置の正面図である。
【符号の説明】
１  工場
２  ハウジング
３  ハウジング天井
４  ホイスト
５  ホイストレール
６  ワイヤー
７  ハウジング天井の隙間
８  槽
９  処理液
１０  排気ファン
１１  排気ガス洗浄装置
１２  プッシュフード
１３  吹出口
１４  送風機
１５  エアーカーテン
１６  有害ガス
【図１】
2004325056.tif 000003
【図２】
2004325056.tif 000004